(57)【要約】【課題】機械的損傷から内蓋を保護でき、内蓋の熱変形を阻止できる洗濯機の内蓋構造を提供する。【解決手段】外箱１には水槽２を配置し、この水槽２に内蓋４を取り付けている。この内蓋４は水槽２の開口部２ａを開閉する。そして、内蓋４は、透明な窓５と、この窓５の外縁部を覆うように窓５の外縁部に取り付けられた金属製のリング７とを有する。【選択図】図１
2005152419.tif 000002
【特許請求の範囲】
【請求項１】
洗濯機の外箱内に配置された水槽の開口部に内蓋が取り付けられた洗濯機の内蓋構造において、
上記内蓋は、透明または半透明の窓と、上記窓の外縁部に取り付けられ、上記窓の外縁部を覆う金属製のリングとを備えることを特徴とする洗濯機の内蓋構造。
【請求項２】
請求項１に記載の洗濯機の内蓋構造において、
上記窓の外縁部には、上記リングで少なくとも一部が覆われた内蓋ベースが設けられていることを特徴とする洗濯機の内蓋構造。
【請求項３】
請求項１に記載の洗濯機の内蓋構造において、
上記窓はガラスよりなっていることを特徴とする洗濯機の内蓋構造。
【請求項４】
請求項１に記載の洗濯機の内蓋構造において、
上記リングの一部は軸が挿通されて上記水槽のヒンジ部に連結されていることを特徴とする洗濯機の内蓋構造。
【請求項５】
請求項４に記載の洗濯機の内蓋構造において、
上記水槽は、上記リングの上記一部以外の部分を支持する支持手段を有することを特徴とする洗濯機の内蓋構造。
【請求項６】
請求項５に記載の洗濯機の内蓋構造において、
上記支持手段は上記開口部に設けられた凸部であり、
上記リングは上記凸部が嵌合する凹部を有することを特徴とする洗濯機の内蓋構造。
【請求項７】
請求項１に記載の洗濯機の内蓋構造において、
上記内蓋と上記開口部の縁部との間をシールするパッキンを備え、
上記パッキンは上記窓の外縁部の少なくとも一部が入る凹部を有することを特徴とする洗濯機の内蓋構造。
【請求項８】
請求項１に記載の洗濯機の内蓋構造において、
上記内蓋と上記開口部の縁部との間をシールするパッキンを備え、
上記リングは上記パッキンの少なくとも一部が入る凹部を有することを特徴とする洗濯機の内蓋構造。
【請求項９】
請求項１に記載の洗濯機の内蓋構造において、
上記水槽内に配置され、洗濯物を収容する回転ドラムを備えることを特徴とする洗濯機の内蓋構造。
【発明の詳細な説明】
【技術分野】
【０００１】
本発明は洗濯機の内蓋構造に関する。
【背景技術】
【０００２】
従来、洗濯機としては、特開２００１−１４９６８９号公報（特許文献１）に開示されたドラム式のものがある。このドラム式洗濯機の外箱内には水槽が配置されている。さらに、上記水槽内には、洗濯物を収容する回転ドラムを回転自在に配置している。また、洗濯物を出し入れするために、外箱には外箱開口部を設ける一方、水槽には水槽開口部を設けている。この水槽に入れた水または洗濯溶液が漏れ出るのを防ぐため、外箱開口部と水槽開口部とをパッキンで接続し、かつ、外箱開口部を開閉する外箱ドアを外箱に取り付けている。
【０００３】
しかし、上記従来のドラム式洗濯機では、外箱開口部と水槽開口部とをパッキンで接続しているため、水槽の振動がパッキンを介して外箱に伝わって、外箱が大きく揺れてしまうという問題ある。
【０００４】
この問題を解決する方法としては、上記パッキンを取り除くことによって、外箱開口部と水槽開口部とを離隔する方法がある。この場合、上記水槽内の液体が漏れ出るのを防ぐために、水槽開口部を開閉する水槽ドアを水槽に取り付ける。すなわち、上記外箱に外蓋（外箱ドア）を取り付ける一方、水槽に内蓋（水槽ドア）を取り付ける。
【０００５】
ところが、上記水槽ドアを用いた場合、水槽の振動によって、水槽ドアの外縁部と水槽開口部の縁部とが衝突するから、水槽ドアが機械的に損傷してしまうという問題が生じてしまう。
【０００６】
また、上記水槽ドアの外縁部と水槽開口部の縁部とが接触するから、水槽の熱が内蓋に伝わって、水槽ドアが膨張・収縮する問題も生じてしまう。
【特許文献１】特開２００１−１４９６８９号公報
【発明の開示】
【発明が解決しようとする課題】
【０００７】
そこで、本発明の課題は、機械的損傷から内蓋を保護でき、内蓋の熱変形を阻止できる洗濯機の内蓋構造を提供することにある。
【課題を解決するための手段】
【０００８】
上記課題を解決するため、本発明の洗濯機の内蓋構造は、洗濯機の外箱内に配置された水槽の開口部に内蓋が取り付けられた洗濯機の内蓋構造において、上記内蓋は、透明または半透明の窓と、上記窓の外縁部に取り付けられ、上記窓の外縁部を覆う金属製のリングとを備えることを特徴としている。
【０００９】
上記構成の洗濯機の内蓋構造によれば、上記窓の外縁部を金属製のリングが覆っているから、水槽が振動したときに、水槽の開口部の縁部が窓の外縁部に直接衝突するのを防ぐことができる。したがって、機械的損傷から内蓋を保護することができる。
【００１０】
また、上記リングは金属製であるから、熱による影響を余り受けず、熱で膨張・収縮し難い。したがって、上記水槽の熱をリングで受けることによって、水槽の熱による悪影響が内蓋に生じるのを防ぐことができる。つまり、上記内蓋の熱変形を防止することができる。
【００１１】
また、上記リングが窓の外縁部のみを覆うようにすると、リングの材料の量を少なく抑えることができるので、内蓋を安価に製造することができると共に、内蓋をコンパクトにすることができる。
【００１２】
また、損傷した内蓋で使用者が負傷するのを防げるから、安全性を向上できる。
【００１３】
一実施形態の洗濯機の内蓋構造は、上記窓の外縁部には、上記リングで少なくとも一部が覆われた内蓋ベースが設けられている。
【００１４】
上記実施形態の洗濯機の内蓋構造によれば、上記内蓋ベースの少なくとも一部をリングで覆っているから、水槽による機械的損傷および熱変形から内蓋ベースを保護することができる。
【００１５】
また、上記内蓋ベースを樹脂製にすることによって、内蓋ベースに取っ手を容易に設けることができる。したがって、上記内蓋の操作性を向上させることができる。
【００１６】
また、上記内蓋ベースの少なくとも一部が窓の外縁部に重なるように内蓋ベースを設けることにより、内蓋の外径が小さくなるから、内蓋開放時のいわゆる飛び出し寸法を小さくできる。つまり、上記内蓋を前方に開くためのスペースを小さくできる。したがって、上記洗濯機の設置場所の制約を少なくすることができる。
【００１７】
一実施形態の洗濯機の内蓋構造は、上記窓はガラスよりなっている。
【００１８】
上記実施形態の洗濯機の内蓋構造によれば、上記窓はガラスよりなっているから、内蓋の耐薬品性を向上できる。したがって、上記内蓋は洗剤に対する耐性が高くなっている。
【００１９】
一実施形態の洗濯機の内蓋構造は、上記リングの一部は軸が挿通されて上記水槽のヒンジ部に連結されている。
【００２０】
上記実施形態の洗濯機の内蓋構造によれば、上記リングの一部をヒンジの一部として用いるから、部品点数が少なくなって、製造コストを下げることができる。
【００２１】
また、上記内蓋と水槽とをネジ結合した場合、水槽の熱などでネジが緩んで、内蓋ががたつく恐れがあるが、内蓋と水槽とをヒンジ結合しているから、水槽の熱などでネジが緩む心配がない。
【００２２】
また、上記内蓋構造は、内蓋と水槽とをヒンジ結合することによって、構成が簡素化するので、信頼性が高く、しかも安価に製造することができると共に、寸法バラツキを小さくすることができる。
【００２３】
一実施形態の洗濯機の内蓋構造は、上記水槽は、上記リングの上記一部以外の部分を支持する支持手段を有する。
【００２４】
上記実施形態の洗濯機の内蓋構造によれば、上記ヒンジ部と支持手段とで内蓋を支持するから、２点支持になって、ヒンジ部が水槽の振動で受ける負担を軽減することができる。
【００２５】
上記支持手段は、リングにおいてヒンジ結合している部分とリングの中心点とを通る直線上の部分（反ヒンジ側の部分）を支持するのが好ましい。
【００２６】
一実施形態の洗濯機の内蓋構造は、上記支持手段は上記開口部に設けられた凸部であり、上記リングは上記凸部が嵌合する凹部を有する。
【００２７】
上記実施形態の洗濯機の内蓋構造によれば、上記開口部の凸部をリングの凹部に嵌合させることによって内蓋を支持するから、内蓋を支持するための構造を簡単にできる。
【００２８】
一実施形態の洗濯機の内蓋構造では、上記内蓋と上記開口部の縁部との間をシールするパッキンを備え、上記パッキンは上記窓の外縁部の少なくとも一部が入る凹部を有する。
【００２９】
上記実施形態の洗濯機の内蓋構造によれば、上記窓の外縁部の少なくとも一部がパッキンの凹部に入るから、パッキンと内蓋との高低差を小さくなって、奥行きを小さくすることができる。
【００３０】
また、上記窓の外縁部の少なくとも一部がパッキンの凹部に入るので、内蓋の振動をパッキンで吸収することができる。
【００３１】
一実施形態の洗濯機の内蓋構造では、上記内蓋と上記開口部の縁部との間をシールするパッキンを備え、上記リングは上記パッキンの少なくとも一部が入る凹部を有する。
【００３２】
上記実施形態の洗濯機の内蓋構造によれば、上記パッキンの少なくとも一部がリングの凹部に入るから、パッキンと内蓋との高低差を小さくなって、奥行きを小さくすることができる。
【００３３】
また、上記パッキンの少なくとも一部がリングの凹部に入るので、内蓋の振動をパッキンで吸収することができる。
【００３４】
一実施形態の洗濯機の内蓋構造では、上記水槽内に配置され、洗濯物を収容する回転ドラムを備える。
【００３５】
上記実施形態の洗濯機の内蓋構造によれば、上記回転ドラムで洗濯物を洗濯するから、洗濯に使用する水の量を減らすことができる。
【発明の効果】
【００３６】
本発明の洗濯機の内蓋構造は、窓の外縁部に金属製のリングを取り付けていることによって、水槽と蓋とが直接衝突しないから、機械的損傷から内蓋を保護することができる。
【００３７】
また、上記リングは金属製であるから、熱による影響を余り受けず、熱で膨張・収縮し難い。したがって、上記水槽の熱をリングで受けることによって、内蓋の熱変形を防止することができる。
【発明を実施するための最良の形態】
【００３８】
以下、本発明の洗濯機の内蓋構造を図示の実施の形態により詳細に説明する。
【第１実施形態】
【００３９】
図１に本発明の第１実施形態の洗濯機の内蓋構造を適用したドラム式洗濯機の概略断面図を示す。なお、図１中の小円内を大円内に拡大図示する。
【００４０】
上記洗濯機の内蓋構造では、外箱１内に配置された水槽２の開口部２ａを内蓋４で開閉する。上記内蓋４は水槽２にヒンジで回動自在に取り付けている。また、上記内蓋４は、ガラス製の透明な窓５と、この窓５の外縁部に取り付けられた樹脂製の内蓋ベース６と、窓５の外縁部に取り付けられた金属製のリング７とで構成される。上記窓５の外径は内蓋ベース６の外径よりも小さい。そして、上記窓５は断面凹形状で底面が曲面になっている。より詳しくは、上記窓５の底面は外箱１に向って突出するように湾曲する。また、上記窓５の外縁部は屈曲している。つまり、上記窓５は、径方向外側に向って張り出したフランジ５ａを外縁部に有する。この窓５のフランジ５ａの外箱１側の表面には内蓋ベース６の一方の端部が接着固定している。また、上記内蓋ベース６も、径方向外側に向って張り出したフランジ６ａを有する。この内蓋ベース６のフランジ６ａの径方向の長さは窓５のフランジ５ａの径方向の長さより長くなっている。このようなフランジ５ａ，６ａをリング７が覆っている。つまり、上記フランジ５ａ，６ａはリング７内に入って遮蔽されている。また、図示しないが、上記内蓋ベース６の一部には取っ手を設けている。
【００４１】
上記外箱１はサスペンション８によって水槽２を弾性支持する。また、上記外箱１の前面上部には、操作キーや表示部を有する操作パネル１１を設けている。そして、上記外箱１内の上部には、洗剤や柔軟剤を充填する収容部１３を配置している。また、図示しないが、上記外箱１には水槽２の開口部２ａに対向する開口部を設けていて、この開口部を開閉する外蓋を外箱１に取り付けている。
【００４２】
また、上記水槽２内には洗濯物を収容する回転ドラム３を配置している。この回転ドラム３は開口部３ａを有し、この開口部３ａが水槽２の開口部２ａに対向している。上記回転ドラム３は回転駆動ユニット１０によって回転駆動する。また、上記水槽２内には水または洗濯溶液が給水管１１を介して供給される。このため、上記水槽２内の液体が水槽２外に漏れないように、内蓋４と開口部２ａの縁部との間をパッキン８でシールしている。このパッキン８はその開口部２ａの縁部に取り付けている。
【００４３】
上記構成の洗濯機の内蓋構造によれば、回転ドラム３の回転によって水槽２が振動しても、リング７がフランジ５ａ，６ａを覆っているから、水槽２の開口部２ａの縁部がフランジ５ａ，６ａに直接衝突するのを防ぐことができる。また、上記リング７は金属製であるから、水槽２の開口部２ａの縁部に衝突しても、機械的損傷が生じ難い。したがって、機械的損傷から内蓋４を保護することができる。
【００４４】
また、上記ドラム式洗濯機の乾燥運転時には、洗濯物を乾燥させるための乾燥空気が水槽２内に供給されて、水槽２および回転ドラム３の温度が上昇するが、リング７が内蓋ベース６のフランジ６ａを覆っているから、熱くなった水槽２に内蓋ベース６のフランジ６ａが直接接触するのを防ぐことができる。また、上記リング７は金属製であるから、熱くなった水槽２に接触しても、熱による影響を余り受けず、膨張・収縮し難い。したがって、上記水槽２の熱による悪影響が内蓋４に生じるのを防ぐことができる。つまり、上記内蓋４の熱変形を防止することができる。
【００４５】
また、上記リング７は、ネジを用いずに窓５の外縁部に一体に固定されているから、水槽２の振動で窓５が揺れても、ネジの締結部分が応力集中で破損することもなく、また、ネジが緩んで窓５から外れることもない。つまり、上記リング７は、ネジの締結部分の損傷を無くすことができると共に、ネジの緩みによる窓５からの脱落を防止することができる。
【００４６】
また、上記リング７は、ネジを用いずに窓５の外縁部に一体に固定されているから、乾燥運転時に温風が当たって熱膨張しても、ネジが緩んで窓５から外れることもない。
【００４７】
また、上記窓５はガラス製だから、内蓋４の耐薬品性を向上できる。したがって、上記内蓋４は洗剤に対する耐性が高くなっている。
【００４８】
また、上記内蓋４を水槽２にヒンジで取り付けているから、内蓋４を水槽２に取り付けるためにネジを用いなくてもよいし、そのネジが水槽２の熱や振動などで緩む心配もない。
【００４９】
また、上記内蓋４を水槽２にヒンジで取り付けているから、内蓋構造の構成が簡素化する。したがって、上記内蓋構造は、信頼性が高く、しかも安価に製造することができると共に、寸法バラツキを小さくすることができる。
【００５０】
ところで、図２に示すように、上記外箱１の外蓋を開放した後、内蓋４を開放すると、内蓋４は二点鎖線で示す位置に移動する。このとき、上記内蓋４において外箱１とは反対側の端から外箱１の背面までの距離Ｄは、内蓋４を水槽２の開口部２ａに取り付けているから小さくできる。したがって、上記ドラム式洗濯機は設置の制限が少ない。つまり、上記ドラム式洗濯機の設置の自由度が大きい。
【００５１】
上記第１実施の形態では、外箱１の開口部を開閉する外蓋について詳しく説明しなかったが、外箱１の開口部を開閉する外蓋は、スライドして少なくとも一部が外箱１内に自動または手動で収容されるものであってもよいし、外箱１０１にヒンジで回動自在に取り付けられるものであってもよい。
【第２実施形態】
【００５２】
図３に本発明の第２実施形態の洗濯機の内蓋構造の概略断面図を示す。なお、図３中の小円内を大円内に拡大図示する。
【００５３】
上記洗濯機の内蓋構造では、洗濯機の外箱内に配置される水槽１０２の開口部１０２ａを内蓋２４で開閉する。上記内蓋２４は水槽１０２にヒンジ２０で回動自在に取り付けている。また、上記内蓋２４は、ガラス製の透明な窓２５と、この窓２５の外縁部に取り付けられた金属製のリング２７とで構成される。上記窓２５は、径方向外側に向って張り出したフランジ２５ａを外縁部に有している。この窓２５のフランジ２５ａをリング２７が覆っている。つまり、上記フランジ２５ａはリング２７内に嵌合して遮蔽されている。上記リング２７はネジを用いずに窓２５の外縁部に一体に固定されている。なお、図３の参照番号において２８はパッキンである。このパッキン２８は、開口部１０２ａの縁部に設けられた取付部１０２ｂに取り付ける。
【００５４】
上記構成の洗濯機の内蓋構造によれば、リング２７が窓２５のフランジ２５ａを覆っているから、水槽１０２の開口部１０２ａの縁部が窓２５のフランジ２５ａに直接衝突するのを防ぐことができる。また、上記リング２７は金属製であるから、水槽１０２の開口部１０２ａの縁部に衝突しても、機械的損傷が生じ難い。したがって、機械的損傷から内蓋２４を保護することができる。
【００５５】
また、上記窓２５はガラス製だから、内蓋２４の耐薬品性を向上できる。したがって、上記内蓋２４は洗剤に対する耐性が高くなっている。
【００５６】
また、上記内蓋２４を水槽１０２にヒンジ２０で取り付けているから、内蓋２４を水槽１０２に取り付けるためにネジを用いなくてもよいし、そのネジが水槽１０２の熱や振動などで緩む心配もない。
【００５７】
また、上記内蓋２４を水槽１０２にヒンジで取り付けているから、内蓋構造の構成が簡素化する。したがって、上記内蓋構造は、信頼性が高く、しかも安価に製造することができると共に、寸法バラツキを小さくすることができる。
【００５８】
また、上記内蓋２４は内蓋ベースを有さないから、図１の内蓋４よりも、奥行きを低減することができると共に、製造コストを下げることができる。
【第３実施形態】
【００５９】
図４に本発明の第３実施形態の洗濯機の内蓋構造の概略断面図を示す。なお、図４中の小円内を大円内に拡大図示する。
【００６０】
上記洗濯機の内蓋構造では、洗濯機の外箱内に配置する水槽１０２の開口部１０２ａを内蓋３４で開閉する。上記内蓋３４は水槽１０２にヒンジ３０で回動自在に取り付けている。また、上記内蓋３４は、ガラス製の透明な窓３５と、この窓３５の外縁部に取り付けられた樹脂製の内蓋ベース３６と、窓３５の外縁部に取り付けられた金属製のリング３７とで構成される。上記窓３５の外径と内蓋ベース３６の外径とは略同じである。そして、上記窓３５は、径方向外側に向って張り出したフランジ３５ａを外縁部に有する。この窓３５のフランジ３５ａの外部側（水槽１０２とは反対側）の表面には内蓋ベース３６の一方の端部が接着固定している。上記窓３５のフランジ３５ａと内蓋ベース３６の一部とをリング３７が覆っている。つまり、上記窓３５のフランジ３５ａと内蓋ベース３６の一部とはリング３７内に入って遮蔽されている。上記リング３７はネジを用いずに窓３５の外縁部に一体に固定されている。また、上記リング３７の水槽１０２側の一部に貫通穴３７ａを設けると共に、水槽１０２の開口部１０２ａの縁部に支持手段の一例としての支持棒３９を設けている。上記支持棒３９は内蓋３４の閉鎖時に貫通穴３７ａに入る。また、図示しないが、上記内蓋ベース３６の一部には取っ手を設けている。
【００６１】
上記構成の洗濯機の内蓋構造によれば、上記第１実施の形態と同様の効果を奏する上に、ヒンジ３０と支持棒３９とで内蓋３４を支持するから、２点支持になって、ヒンジ３０が水槽１０２の振動で受ける負担を軽減することができる。
【第４実施形態】
【００６２】
図５に本発明の第４実施形態の洗濯機の内蓋構造の概略断面図を示す。なお、図５中の小円内を大円内に拡大図示する。
【００６３】
上記洗濯機の内蓋構造では、洗濯機の外箱内に配置される水槽１０２の開口部１０２ａを内蓋４４で開閉する。上記内蓋４４は水槽１０２にヒンジ４０で回動自在に取り付けている。また、上記内蓋４４は、ガラス製の透明な窓４５と、この窓４５の外縁部に取り付けられた金属製のリング４７とで構成される。上記窓４５は、径方向外側に向って張り出したフランジ４５ａを外縁部に有している。この窓４５のフランジ４５ａをリング４７が覆っている。つまり、上記フランジ４５ａはリング４７内に嵌合して遮蔽されている。上記リング４７はネジを用いずに窓４５の外縁部に一体に固定されている。また、上記内蓋４４と水槽１０２の開口部１０２ａの縁部との間はパッキン４８でシールされる。このパッキン４８の内縁部には凹部４８ａを設けていて、内蓋４４の閉鎖時、フランジ４５ａおよびリング４７が凹部４８ａ内に入る。つまり、上記パッキン４８の凹部４８ａは、内蓋４４の閉鎖時にフランジ４５ａおよびリング４７を収容する。また、上記パッキン４８は、開口部１０２ａの縁部に設けられた取付部１０２ｂに取り付ける。
【００６４】
上記構成の洗濯機の内蓋構造によれば、上記第２実施形態と同様の効果を奏する上に、内蓋４４の閉鎖時、フランジ４５ａおよびリング４７が凹部４８ａ内に入るから、パッキン４８と内蓋４４との高低差を小さくすることができる。言い換えれば、パッキン４８において最も外部側（水槽１０２とは反対側）にある部分と、リング４７において最も外部側にある部分とが略同じレベルとなる。したがって、上記内蓋４４の閉鎖時において、水槽１０２と内蓋４４とを合わせた奥行きを小さくすることができる。
【００６５】
また、上記内蓋４４の閉鎖時、フランジ４５ａおよびリング４７が凹部４８ａ内に入るから、内蓋４４の振動をパッキン４８で吸収することができる。
【第５実施形態】
【００６６】
図６に本発明の第５実施形態の洗濯機の内蓋構造の概略断面図を示す。なお、図６中の小円内を大円内に拡大図示する。
【００６７】
上記洗濯機の内蓋構造では、洗濯機の外箱内に配置する水槽１０２の開口部１０２ａを内蓋５４で開閉する。上記内蓋５４は水槽１０２にヒンジ５０で回動自在に取り付けている。また、上記内蓋５４は、ガラス製の透明な窓５５と、この窓５５の外縁部に取り付けられた樹脂製の内蓋ベース５６と、窓５５の外縁部に取り付けられた金属製のリング５７とで構成される。上記窓５５の外径と内蓋ベース５６の外径とは略同じであるまた、上記窓５５は、径方向外側に向って張り出したフランジ５５ａを外縁部に有する。この窓５５のフランジ５５ａの外部側（水槽１０２とは反対側）の表面には内蓋ベース５６の一方の端部が接着固定している。上記窓５５のフランジ５５ａと内蓋ベース５６の一部とをリング５７が覆っている。つまり、上記窓５５のフランジ５５ａと内蓋ベース５６の一部とはリング５７内に入って遮蔽されている。上記リング５７はネジを用いずに窓５５の外縁部に一体に固定されている。そして、上記リング５７の水槽１０２側の一部には凹部５７ａを設けている。この凹部５７ａ内には、内蓋５４の閉鎖時、パッキン５８の最も外部側の部分が入って接触する。このパッキン５８は、開口部１０２ａの縁部に設けられた取付部１０２ｂに取り付ける。また、図示しないが、上記内蓋ベース５６の一部には取っ手を設けている。
【００６８】
上記構成の洗濯機の内蓋構造によれば、上記第１実施の形態と同様の効果を奏する上に、内蓋５４の閉鎖時、パッキン５８の一部がリング５７の凹部５７ａ内に入るから、水槽１０２と内蓋５４とを合わせた奥行きを小さくすることができる。
【００６９】
また、上記内蓋５４の閉鎖時、パッキン５８の一部がリング５７の凹部５７ａに接触するから、内蓋５４の振動をパッキン５８で吸収することができる。
【第６実施形態】
【００７０】
図７（Ａ）に本発明の第６実施形態の洗濯機の内蓋構造の概略断面図を示し、図７（Ｂ）に上記洗濯機の内蓋構造の概略正面図を示す。
【００７１】
上記洗濯機の内蓋構造では、図７（Ａ），（Ｂ）に示すように、洗濯機の外箱内に配置する水槽１０２の開口部１０２ａを内蓋６４で開閉する。上記内蓋６４は、ガラス製の透明な窓６５と、この窓６５の外縁部に取り付けられた樹脂製の内蓋ベース６６と、窓６５の外縁部に取り付けられた金属製のリング６７とで構成される。上記窓６５の外径と内蓋ベース６６の外径とは略同じであるまた、上記窓６５は、径方向外側に向って張り出したフランジ６５ａを外縁部に有する。この窓６５のフランジ６５ａの外部側（水槽１０２とは反対側）の表面には内蓋ベース６６の一方の端部が接着固定している。上記窓６５のフランジ６５ａと内蓋ベース６６の一部とをリング６７が覆っている。つまり、上記窓６５のフランジ６５ａと内蓋ベース６６の一部とはリング６７内に入って遮蔽されている。上記リング６７はネジを用いずに窓６５の外縁部に一体に固定されている。そして、上記リング６７の一部６７ａには軸６９が挿通されて水槽１０２のヒンジ部６０に連結されていることにより、内蓋６４は回動自在となっている。なお、上記リング６７の一部６７ａは断面略Ｃ字形状となっている。なお、図７（Ａ）の参照番号において６８はパッキンである。上記パッキン６８は、開口部１０２ａの縁部に設けられた取付部１０２ｂに取り付ける。
【００７２】
上記構成の洗濯機の内蓋構造によれば、上記第１実施の形態と同様の効果を奏する上に、リング６７の一部６７ａをヒンジの一部として用いるから、部品点数が減って、製造コストを下げることができる。
【００７３】
上記第１〜６実施の形態の洗濯機の内蓋構造は、ドラム式洗濯機、全自動洗濯機、２槽式洗濯機等、あらゆるタイプの洗濯機に適用することができる。
【００７４】
また、上記第１〜６実施の形態の洗濯機の内蓋構造の構成を適宜組み合わせてもよい。
【００７５】
また、上記第１〜６実施の形態の洗濯機の内蓋構造では、透明な窓を用いていたが、半透明の窓を用いてもよい。また、上記窓は、ガラス以外、例えば耐熱性のプラスチックからなってもよい。
【図面の簡単な説明】
【００７６】
【図１】図１は本発明の第１実施形態の洗濯機の内蓋構造を適用したドラム式洗濯機の概略断面図である。
【図２】図２は上記ドラム式洗濯機の内蓋が開放した状態を説明するための概略図である。
【図３】図３は本発明の第２実施形態の洗濯機の内蓋構造の概略断面図である。
【図４】図４は本発明の第３実施形態の洗濯機の内蓋構造の概略断面図である。
【図５】図５は本発明の第４実施形態の洗濯機の内蓋構造の概略断面図である。
【図６】図６は本発明の第５実施形態の洗濯機の内蓋構造の概略断面図である。
【図７】図７（Ａ）は本発明の第６実施形態の洗濯機の内蓋構造の概略断面図であり、図７（Ｂ）は上記洗濯機の内蓋構造の概略正面図である。
【符号の説明】
【００７７】
１  外箱
２，１０２  水槽
２ａ，１０２ａ  水槽の開口部
３  回転ドラム
４，２４，３４，４４，５４，６４  内蓋
５，２５，３５，４５，５５，６５  窓
６，３６，５６，６６  内蓋ベース
７，２７，３７，４７，５７，６７  リング
８，２８，３８，４８，５８，６８  パッキン
３９  支持棒
４８ａ  パッキンの凹部
５７ａ  リングの凹部
【図１】
2005152419.tif 000003
【図２】
2005152419.tif 000004
【図３】
2005152419.tif 000005
【図４】
2005152419.tif 000006
【図５】
2005152419.tif 000007
【図６】
2005152419.tif 000008
【図７】
2005152419.tif 000009